【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】  複数の記憶領域を有する複数のディスクドライブを備える複数のディスクドライブユニットと、
前記記憶領域にデータを書き込むコントローラと、
前記コントローラが書き込むデータを転送するデータ転送経路と、
交流電力が入力され、前記ディスクドライブユニットの第１の負荷に直流電力を供給する第１のＡＣ／ＤＣ電源と、
前記第１のＡＣ／ＤＣ電源から前記第１の負荷への直流電力を伝送する第１の電源線と、
前記第１の負荷に対し第１の抵抗を介して前記第１の電源線に接続され、入力される直流電力よりも小さな直流電力を前記第１の負荷に供給する第１の直流電源と、
交流電力が入力され、前記ディスクドライブユニットの第２の負荷に直流電力を供給する第２のＡＣ／ＤＣ電源と、
前記第２のＡＣ／ＤＣ電源から前記第２の負荷への直流電力を伝送する第２の電源線と、
前記第２の負荷に対し第２の抵抗を介して前記第２の電源線と接続され、入力される直流電力よりも小さな直流電力を前記第２の負荷に供給する第２の直流電源と、
を備え、
前記第１の直流電源は第３の抵抗を介して前記第２の電源線と接続され、
前記第２の直流電源は第４の抵抗を介して前記第１の電源線と接続され、
前記第１の抵抗の電圧は前記第２の抵抗の電圧に一致し、
前記第３の抵抗の電圧は前記第４の抵抗の電圧に一致すること、
を特徴とするディスクアレイ装置。
【請求項２】  請求項１に記載のディスクアレイ装置であって、
前記第１の直流電源はＤＣ−ＤＣコンバータであり、
前記第２の直流電源はＤＣ−ＤＣコンバータであること、
を特徴とするディスクアレイ装置。
【請求項３】  請求項１に記載のディスクアレイ装置であって、
前記第１の直流電源は前記第１の抵抗及び前記第１の負荷の間の定電圧回路を有し、
前記第２の直流電源は前記第２の抵抗及び前記第２の負荷の間の定電圧回路を有すること、
を特徴とするディスクアレイ装置。
【請求項４】  請求項１に記載のディスクアレイ装置であって、
複数の前記第１のＡＣ／ＤＣ電源と、
複数の前記第２のＡＣ／ＤＣ電源と、
を備えることを特徴とするディスクアレイ装置。
【請求項５】  請求項１に記載のディスクアレイ装置であって、
前記第１の負荷はディスクドライブであること、
を特徴とするディスクアレイ装置。
【請求項６】  請求項１に記載のディスクアレイ装置であって、
前記第１の抵抗は逆流防止ダイオードであり、
前記第２の抵抗は逆流防止ダイオードであり、
前記第３の抵抗は逆流防止ダイオードであり、
前記第４の抵抗は逆流防止ダイオードであること、
を特徴とするディスクアレイ装置。
【請求項７】  請求項１に記載のディスクアレイ装置であって、
前記第１の抵抗は逆流防止ダイオードを含み、
前記第２の抵抗は逆流防止ダイオードを含み、
前記第１の抵抗に含まれる前記逆流防止ダイオードの数は、前記第３の抵抗に含まれる前記逆流防止ダイオードの数よりも少ないこと、
を特徴とするディスクアレイ装置。
【請求項８】  請求項１に記載のディスクアレイ装置であって、
前記第１の抵抗の電圧は前記第３の抵抗の電圧よりも低いこと、
を特徴とするディスクアレイ装置。
【請求項９】  請求項１に記載のディスクアレイ装置であって、
前記第１の直流電源は、前記第１のＡＣ／ＤＣ電源に関する部位又は前記第１の電源線に障害が生じていない場合、前記第１のＡＣ／ＤＣ電源から供給される直流電源を前記第１の負荷に供給し、
前記第２の直流電源は、前記第１のＡＣ／ＤＣ電源に関する部位又は前記第１の電源線に障害が生じていない場合、前記第２のＡＣ／ＤＣ電源から供給される直流電源を前記第２の負荷に供給し、
前記第１の直流電源は、前記第１のＡＣ／ＤＣ電源に関する部位又は前記第１の電源線に障害が生じている場合、前記第２のＡＣ／ＤＣ電源から供給される電力を前記第１の負荷に供給すること、
を特徴とするディスクアレイ装置。
【請求項１０】  請求項１に記載のディスクアレイ装置であって、
前記第１の抵抗は、前記第４の抵抗と同じ構成であり、且つ前記第２の抵抗とは異なる構成であり、
前記第２の抵抗は前記第３の抵抗と同じ構成であること、
を特徴とするディスクアレイ装置。
【請求項１１】  請求項１に記載のディスクアレイ装置であって、
前記第１の抵抗の電圧は、前記第４の抵抗の電圧と略同一であり、且つ前記第３の抵抗の電圧とは異なり、
前記第２の抵抗の電圧は、前記第３の抵抗の電圧と略同一であり、且つ前記第４の抵抗の電圧とは異なること、
を特徴とするディスクアレイ装置。
【請求項１２】  請求項１に記載のディスクアレイ装置であって、
前記データ転送経路に接続され、前記ディスクドライブユニットに対して書き込みデータを転送するインタフェース制御回路を備え、
前記負荷は前記インタフェース制御回路を含んでいること、
を特徴とするディスクアレイ装置。
【請求項１３】  請求項１に記載のディスクアレイ装置であって、
前記負荷は前記コントローラを含んでいること、
を特徴とするディスクアレイ装置。
【請求項１４】  請求項１に記載のディスクアレイ装置であって、
前記第１の直流電源は、前記第１の電源線に障害が生じていない場合、前記第１の電源線を通じて前記第１のＡＣ／ＤＣ電源から供給される直流電力を前記第１の負荷に供給し、
前記第１の直流電源は、前記第１の電源線に障害が生じている場合、前記第２の電源線を通じて前記第２のＡＣ／ＤＣ電源から供給される直流電力を前記第１の負荷に供給し、
前記第２の直流電源は、前記第２の電源線に障害が生じていない場合、前記第２の電源線を通じて前記第２のＡＣ／ＤＣ電源から供給される直流電力を前記第２の負荷に供給し、
前記第２の直流電源は、前記第２の電源線に障害が生じている場合、前記第１の電源線を通じて前記第１のＡＣ／ＤＣ電源から供給される直流電力を前記第２の負荷に供給すること、
を特徴とするディスクアレイ装置。
【請求項１５】  複数の記憶領域を有する複数のディスクドライブを有し、データ転送経路と接続される複数のディスクドライブユニットと、
前記記憶領域にデータを転送するコントローラと、
前記コントローラが書き込むデータを転送するデータ転送経路と、
交流電力が入力され、前記複数のディスクドライブユニットのうちの第１のディスクドライブユニットに直流電力を供給する第１のＡＣ／ＤＣ電源と、
前記第１のＡＣ／ＤＣ電源から前記第１のディスクドライブユニットへの直流電力を伝送する第１の電源線と、
前記第１のディスクドライブユニットに対し第１の抵抗を介して前記第１の電源線に接続され、入力される直流電力よりも小さな直流電力を前記第１のディスクドライブユニットに供給する第１の直流電源と、
交流電力が入力され、前記複数のディスクドライブユニットのうちの第２のディスクドライブユニットに直流電力を供給する第２のＡＣ／ＤＣ電源と、
前記第２のＡＣ／ＤＣ電源から前記第２のディスクドライブユニットへの直流電力を伝送する第２の電源線と、
前記第２のディスクドライブユニットに対し第２の抵抗を介して前記第２の電源線と接続され、入力される直流電力よりも小さな直流電力を前記第２のディスクドライブユニットに供給する第２の直流電源と、
を備え、
前記第１の電源線は前記第３の抵抗を介して前記第２の直流電源に接続され、
前記第２の電源線は前記第４の抵抗を介して前記第１の直流電源に接続され、
前記第１の抵抗の電圧は、前記第２の抵抗のものと略同一であり、且つ前記第４の抵抗の電圧とは異なり、
前記第３の抵抗の電圧は、前記第４の抵抗の電圧と略同一であり、且つ前記第１の抵抗の電圧とは異なること、
を特徴とするディスクアレイ装置。